(57)【要約】【課題】信号送受信モジュールセットの構成をより簡単にし、且つ製造も容易にすること。【解決手段】表面粘着式信号送受信モジュールセットであって、アンテナユニットと、金属ケースと、回路基板及び導電部を具備する。前記アンテナユニットは、上部にはベース体を有し、前記ベース体の表面上には輻射金属片、裏面には接地接属片を有し、前記ベース体の表面、側面及び裏面には信号フィードイン部を有する。前記金属ケースは、上部には前記接地金属片と電気的に接続するプラットフォームと、開口を有する。前記回路基板は、上部には信号フィードイン点及び少なくとも一つの前記金属ケースと電気的に接続する接地部を有する。前記導電部は、前記開口を貫通し、且つ前記信号フィードイン部と前記信号フィードイン点との間を電気的に接触し、あるいは接続する。従来針状であった信号フィードイン端を省いたので、アンテナ構造を簡易化することができ、製造も容易になる。【選択図】図２
2013031142.tif 000002
【特許請求の範囲】
【請求項１】
電子装置のメインボードに電気的に接続するための表面粘着式信号送受信モジュールセットであって、
上部にはベース体を有し、前記ベース体の表面上には輻射金属片、裏面には接地接属片を有し、前記ベース体の表面、側面及び裏面には信号フィードイン部を有するアンテナユニットと、
上部には前記接地金属片と電気的に接続するプラットフォームと、開口を有する金属ケースと、
上部には信号フィードイン点及び少なくとも一つの前記金属ケースと電気的に接続する接地部を有する回路基板と、
前記開口を貫通し、且つ前記信号フィードイン部と前記信号フィードイン点との間を電気的に接触し、あるいは接続する導電部とを具備することを特徴とする表面粘着式信号送受信モジュールセット。
【請求項２】
前記ベース体はセラミック材料であることを特徴とする請求項１に記載の表面粘着式信号送受信モジュールセット。
【請求項３】
前記金属ケースのプラットフォームの側辺には、複数の前記プラットフォームと直交する位置に複数の支持片が延設され、前記複数の支持片上にはそれぞれ一つの接合部が延設されていることを特徴とする請求項２に記載の表面粘着式信号送受信モジュールセット。
【請求項４】
前記開口は、前記プラットフォーム表面及びいずれか一つの前記支持片上に設けられることを特徴とする請求項３に記載の表面粘着式信号送受信モジュールセット。
【請求項５】
前記回路基板には、フィルター及び増幅器が備えられ、前記フィルターは、信号に混入した雑信号をフィルタリングするためのものであり、フィルタリングした後の信号はさらに増幅器で増幅された後、電子装置のメインボードに送信されることを特徴とする請求項４に記載の表面粘着式信号送受信モジュールセット。
【請求項６】
前記回路基板にはさらに受信機モジュールセットを有し、前記フィルター及び前記増幅器と電気的に接続し、信号はフィルター及び増幅を経由した後、さらに受信機モジュールセットに送信され、受信機モジュールセットで処理された後、電子装置を全衛星測位システムの関係する画像あるいは資料を表示させ、前記受信機モジュールセットはGPSシステムの回路を成すことを特徴とする請求項５に記載の表面粘着式信号送受信モジュールセット。
【請求項７】
前記回路基板の側辺には少なくとも一つの切り欠き部を有し、各前記切り欠き部は前記回路基板の裏面における接地部に対応し、前記支持片における接合部は前記切り欠き部を曲げあるいは直接的に貫通するように前記接地部と電気的に接続させることを特徴とする請求項６に記載の表面粘着式信号送受信モジュールセット。
【請求項８】
前記回路基板の裏面には少なくとも一つの導電部を有し、前記導電部は回路基板が前記電子装置のメインボード上に電気的に接続するようにすることを特徴とする請求項７に記載の表面粘着式信号送受信モジュールセット。
【請求項９】
前記導電部は金属製の線状のもの、円柱状のもの、弾性片状のものあるいはスプリング状のいずれかであることを特徴とする請求項８に記載の表面粘着式信号送受信モジュールセット。
【請求項１０】
電子装置のメインボードに電気的に接続するための表面粘着式信号送受信モジュールセットであって、
上部にはベース体を有し、前記ベース体には輻射金属フレーム及び信号フィードイン部を有し、前記輻射金属フレームは前記ベース体の表面及び側面上に設けられ、前記信号フィードイン部は前記ベース体の表面、側面及び裏面に設けられ、また、前記ベース体の裏面には接地金属片を有するアンテナユニットと、
上部には信号フィードイン点及びの接地部を有し、前記信号フィードイン点と前記ベース体の信号フィードイン部とは電気的に接続され、前記接地部と前記ベース体の接地金属片と電気的に接続する回路基板と具備することを特徴とする表面粘着式信号送受信モジュールセット。
【請求項１１】
前記ベース体はプラスチックあるいはセラミック材料であることを特徴とする請求項１０に記載の表面粘着式信号送受信モジュールセット。
【請求項１２】
前記輻射金属フレーム及び前記信号フィードイン部は金属材料を用いたプレスあるいはエッチング成型によるものであることを特徴とする請求項１１に記載の表面粘着式信号送受信モジュールセット。
【請求項１３】
前記回路基板にはフィルター及び増幅器を有し、前記フィルターは信号に混入した雑信号をフィルタリングするためのものであり、フィルタリングした後の信号はさらに増幅器で増幅された後、電子装置のメインボードに送信されることを特徴とする請求項１２に記載の表面粘着式信号送受信モジュールセット。
【請求項１４】
前記回路基板にはさらに受信機モジュールセットを備え、前記フィルター及び前記増幅器と電気的に接続させ、信号はフィルタリングされ増幅された後、さらに受信機モジュールセットへ送信され、受信機モジュールセットで処理された後、電子装置を全衛星測位システムの関係する画像あるいは資料を表示させ、前記受信機モジュールセットはGPSシステムの回路をなすことを特徴とする請求項１３に記載の表面粘着式信号送受信モジュールセット。
【請求項１５】
前記回路基板の裏面には少なくとも一つの導電部を有し、前記導電部は回路基板が前記電子装置のメインボード上に電気的に接続するようにすることを特徴とする請求項１４に記載の表面粘着式信号送受信モジュールセット。
【発明の詳細な説明】
【技術分野】
【０００１】
本発明は、アンテナに関し、特に受信及び発信信号を有する信号送受信モジュールセットに関する。
【背景技術】
【０００２】
周知のものとして、現在使用されている信号送受信モジュールセット１０Ａ（図１に示すように）は、アンテナ１Ａと、金属ケース２Ａと、回路基板３Ａ及び信号フィードイン部４Ａを具備するものである。このアンテナ１Ａは、針状の信号フィードイン部４Ａを、アンテナ１Ａのベース体１１Ａと、輻射金属片１２Ａと、接地金属片１３Ａと、金属ケース２Ａとを直接的に貫通させ、且つ前記輻射金属片１２Ａ及び前記回路基板３Ａとを電気的に接続させるように構成される。輻射金属片１２Ａは信号を受け取った後、前記信号フィードイン部４Ａを介して前記回路基板３Ａへ送信されて処理され、あるいは回路基板３Ａにおいて処理された後の信号が信号フィードイン部４Ａを介して前記輻射金属片１２Ａ上へ送信され、輻射金属片１２Ａを介して送信される。
前記信号送受信モジュールセット１０Ａの信号フィードイン部４Ａは針状のデザインを採用するので、アンテナ１Ａを製作する時、前記ベース体１１Ａ、輻射金属片１２Ａ、接地金属片１３Ａ及び金属ケース２Ａの本体に対して穿孔したデザインとすることが必要であり、この信号フィードイン部４Ａをベース体１１Ａ、輻射金属片１２Ａ、接地金属片１３Ａ及び金属ケース２Ａを通り抜けることができるようにさせ、さらに、前記回路基板３Ａと電気的に接続して信号フィードイン端を形成するようにしているので、前記信号送受信モジュールセット１０Ａは複雑な構成であり、且つ製作にも時間と手間がかかる。
【発明の概要】
【発明が解決しようとする課題】
【０００３】
解決しようとする問題点は、信号送受信モジュールセットは複雑な構成であり、且つ製作にも時間と手間がかかる点である。
【課題を解決するための手段】
【０００４】
本発明は、無針状デザインのアンテナを提供し、信号送受信モジュールセットの構成をより簡単にし、且つ製造も容易にすることを目的とする。
前記目的を達するために、本発明は、表面粘着式信号送受信モジュールセットであって、上部にはベース体を有し、前記ベース体の表面上には輻射金属片、裏面には接地接属片を有し、前記ベース体の表面、側面及び裏面には信号フィードイン部を有するアンテナユニットと、上部には前記接地金属片と電気的に接続するプラットフォームと、開口を有する金属ケースと、上部には信号フィードイン点及び少なくとも一つの前記金属ケースと電気的に接続する接地部を有する回路基板と、前記開口を貫通し、且つ前記信号フィードイン部と前記信号フィードイン点との間を電気的に接触し、あるいは接続する導電部とを具備することを特徴とするものである。
また、前記ベース体はセラミック材料であることを特徴とするものである。
また、前記金属ケースのプラットフォームの側辺には、複数の前記プラットフォームと直交する位置に複数の支持片が延設され、前記複数の支持片上にはそれぞれ一つの接合部が延設されていることを特徴とするものである。
また、前記開口は、前記プラットフォーム表面及びいずれか一つの前記支持片上に設けられることを特徴とするものである。
また、前記回路基板には、フィルター及び増幅器が備えられ、前記フィルターは、信号に混入した雑信号をフィルタリングするためのものであり、フィルタリングした後の信号はさらに増幅器で増幅された後、電子装置のメインボードに送信されることを特徴とするものである。
また、前記回路基板にはさらに受信機モジュールセットを有し、前記フィルター及び前記増幅器と電気的に接続し、信号はフィルター及び増幅を経由した後、さらに受信機モジュールセットに送信され、受信機モジュールセットで処理された後、電子装置を全衛星測位システムの関係する画像あるいは資料を表示させ、前記受信機モジュールセットはGPSシステムの回路を成すことを特徴とするものである。
また、前記回路基板の側辺には少なくとも一つの切り欠き部を有し、各前記切り欠き部は前記回路基板の裏面における接地部に対応し、前記支持片における接合部は前記切り欠き部を曲げあるいは直接的に貫通するように前記接地部と電気的に接続させ、前記回路基板の裏面には少なくとも一つの導電部を有し、前記導電部は回路基板が前記電子装置のメインボード上に電気的に接続するようにすることを特徴とするものである。
また、前記導電部は金属製の線状のもの、円柱状のもの、弾性片状のものあるいはスプリング状のいずれかであることを特徴とするものである。
さらに、前記目的を達するために、本発明は、表面粘着式信号送受信モジュールセットであって、上部にはベース体を有し、前記ベース体には輻射金属フレーム及び信号フィードイン部を有し、前記輻射金属フレームは前記ベース体の表面及び側面上に設けられ、前記信号フィードイン部は前記ベース体の表面、側面及び裏面に設けられ、また、前記ベース体の裏面には接地金属片を有するアンテナユニットと、上部には信号フィードイン点及びの接地部を有し、前記信号フィードイン点と前記ベース体の信号フィードイン部とは電気的に接続され、前記接地部と前記ベース体の接地金属片と電気的に接続する回路基板と具備することを特徴とするものである。
また、前記ベース体はプラスチックあるいはセラミック材料であることを特徴とするものである。
また、前記輻射金属フレーム及び前記信号フィードイン部は金属材料を用いたプレスあるいはエッチング成型によるものであることを特徴とするものである。
また、前記回路基板にはフィルター及び増幅器を有し、前記フィルターは信号に混入した雑信号をフィルタリングするためのものであり、フィルタリングした後の信号はさらに増幅器で増幅された後、電子装置のメインボードに送信されることを特徴とするものである。
また、前記回路基板にはさらに受信機モジュールセットを備え、前記フィルター及び前記増幅器と電気的に接続させ、信号はフィルタリングされ増幅された後、さらに受信機モジュールセットへ送信され、受信機モジュールセットで処理された後、電子装置を全衛星測位システムの関係する画像あるいは資料を表示させ、前記受信機モジュールセットはGPSシステムの回路をなすことを特徴とするものである。
また、前記回路基板の裏面には少なくとも一つの導電部を有し、前記導電部は回路基板が前記電子装置のメインボード上に電気的に接続するようにすることを特徴とするものである。
【発明の効果】
【０００５】
本発明によれば、信号送受信モジュールセットの構成をより簡単にし、且つ製造も容易になる。
【図面の簡単な説明】
【０００６】
【図１】従来の信号送受信モジュールセットに係る構成を示す分解図である。
【図２】本発明の信号送受信線モジュールセットに係る外観を示す立体図である。
【図３】本発明の信号送受信モジュールセットを示す分解図である。
【図４】本発明の信号送受信モジュールセットに係る他の視角からの分解図である。
【図５Ａ】本発明の回路基板に係る回路ブロック図である。
【図５Ｂ】本発明の他の回路基板に係る回路ブロック図である。
【図６】本発明の信号送受信モジュールセットと電子装置のメインボードとの接続を示す図である。
【図７】本発明の信号送受信モジュールセットと電子装置のメインボードとの接続を示す側面図ある。
【図８】本発明の他の信号送受信モジュールセットの概観を示す立体図である。
【発明を実施するための形態】
【０００７】
以下、本発明の実施形態について、図面を参照しながら説明する。
図１、３、４はそれぞれ、本発明の信号送受信モジュールセットに係る外観立体図、分解図、他の視角からの分解図である。図に示すように、本発明の信号送受信モジュールセット１０は、アンテナユニット１と、金属ケース２と、回路基板３及び導電部４と具備する。
このアンテナユニット１は、セラミック材料のベース体１１を具備し、このベース体１１の表面には輻射金属片１２を有し、裏面には接地金属片１３を有し、このベース体１１の表面、側面及び裏面には信号フィードイン部１４を有し、この信号フィードイン部１４と前記接地金属片１３とは非接続であり、前記輻射金属片１２は信号送受信端を形成し、信号フィードイン部１４は信号のフィードイン端を形成し、裏面に伸びた信号フィードイン部１４と前記導電部４とは電気的に接触、あるいは電気的に接続する。
前記金属ケース２は、その上部にプラットフォーム２１を有し、このプラットフォーム２１の表面と前記接地金属片１３とは電気的に接続し、このプラットフォーム２１の側辺には複数の該プラットフォーム２１と直交する位置に複数の支持片２２が延設されており、この複数の支持片２２にはそれぞれ接合部２３が延設されており、この接合部２３は曲げあるいは直接的に前記回路基板３の凹部３５を貫通するように前記接地部３６と電気的に接続される。また、前記プラットフォーム２１の表面及びいずれか一つの支持片２２には開口２４が設けられ、この開口２４は前記導電部４が回路基板３と電気的に接触あるいは電気的に接続するために供されるものである。
前記回路基板３は、図５のＡ、Ｂに示すように、前記回路基板３には既知回路である電子部を有し、回路はフィルター３１及び増幅器３２を有する。このフィルター３１は信号に混入した雑信号をフィルタリングするためのものであり、フィルタリングした後の信号はさらに増幅器３２で増幅された後、電子装置のメインボードに送信される。あるいは、回路基板３にはさらに受信機モジュールセット３３（例えば、ＧＰＳシステムの回路）を前記フィルター３１及び前記増幅器３２と同じ回路基板３上に増設し、前記フィルター３１は信号に混入した雑信号をフィルタリングするためのものであり、フィルタリングした後の信号はさらに増幅器３２で増幅された後、受信機モジュールセット３３へ送信され、受信機モジュールセット３３で処理された後の信号は、さらに電子装置（図示せず）のメインボードへ送信され、電子装置上へ全衛星測位システムの関係する画像あるいは資料を表示させることができる。また、回路基板３の正面には電子部（図示せず）を有する以外に信号フィードイン点３４を有し、この信号フィードイン点３４は信号を前記フィルター３１及び前記増幅器３２、あるいは前記受信機モジュールセット３３（例えば、ＧＰＳシステムの回路）、前記フィルター３１、前記増幅器３２の回路に送信して処理するために、前記導電部４が電気的に接触あるいは電気的に接続するように供される。また、前記回路基板３の側辺には少なくとも一つの切り欠き部３５を有し、各切り欠き部３５は前記回路基板３の裏面に相応して接地部３６を有し、前記支持片２２における接合部２３は曲げあるいは直接的に前記回路基板３の切り欠き部３５を貫通するように前記接地部３６と電気的に接続する。また、前記回路基板３の裏面には少なくとも一つの導電部３７を有し、この導電部３７は回路基板３が前記電子装置（図示せず）のメインボードと電気的に接続するために供せられる。
前記導電部４は、金属製の線状、円柱状、弾性片あるいはスプリングなどのいずれかであり、前記ベース体１１の裏面の信号フィードイン部１４と前記回路基板３の信号フィードイン点３４との間が電気的に接触するように構成され、信号フィードインの導電部４をなす。
図６、７は、本発明の信号送受信モジュールセットと電子装置のメインボードとの接続を示す図及び側面図である。図に示すように、金属ケース２は前記ベース体１１の裏面の接地金属片１３と電気的に接続され、前記支持片２２における接合部２３は回路基板３の切り欠き部３５で噛み合わされて接続され、且つ前記接地部３６と電気的に接続される。同時に、前記ベース体１１の信号フィードイン部１４と前記回路基板の信号フィードイン点３４との間は、前記導電部４と電気的に接触あるいは電気的に接続する。
信号送受信モジュールセット１０は組み立てが完成した後、前記回路基板３の裏面の導電部３７により前記電子装置５のメインボード５１と電気的に接続された後、前記信号送受信モジュールセット１０をメインボード５１の表面上で電気的に接続させる。
新たな設計の下での信号送受信モジュールセット１０では、従来のアンテナにおいて針状であった信号フィードイン端を省いて信号フィードインの導体設計としたので、信号送受信モジュールセット１０全体の構成をより簡易化させ、且つ製造をより簡単的かつ容易的にすることができ、信号受信モジュールセット１０全体の厚さをより薄くさせ、電子装置５に適用するうえで、軽量かつ短く薄い小型化の製品に適合するため電子装置５全体の厚さ及び体積を相対的に縮小させることができる。
図８は、本発明の他の信号送受信モジュールセットに係る外観の立体図である。図に示すように、本実施例の信号送受信モジュールセット２０のアンテナユニット６は導電しないベース体６１を有し、このベース体６１はプラスチックあるいはセラミック製である。金属材料を用いて輻射金属フレーム６２及び信号フィードイン部６３をプレス形成し、あるいはエッチング形成し、前記輻射金属フレーム６２の外囲を前記ベース体６１の表面及び側面に固定接続させ、信号フィードイン部６３は前記ベース体６１の表面、側面及び裏面に設けられる。また、前記ベース体６１の裏面には接地金属片６４を有し、この接地金属片６４とベース体６１の裏面に伸びた信号フィードイン部６３とは接続せず、この接地金属片６４と前記回路基板７の接地部７１とが電気的に接続され、前記信号フィードイン部６３と前記回路基板の信号フィードイン点７２とが電気的に接続される。また、前記回路基板７には少なくとも一つの導電部７３を有し、この導電部７３は回路基板７と前記電子装置のメインボード（図示せず）とが電気的に接続するために供される。本図示において、前記回路基板７と前記回路基板３とは同じフィルター３１及び増幅器３２、あるいは受信機モジュールセット３３（例えば、ＧＰＳシステムの回路）、フィルター３１及び増幅器３２の回路を有する。
前記信号送受信モジュールセット２０は、輻射金属フレーム６２及び信号フィードイン部６３が前記ベース体６１を囲うデザインであって、前記アンテナユニット６を前記回路基板７と直接的かつ電気的に接続させ 、信号送受信モジュールセット２０の製造過程において金属ケース２を使用する必要がなく、信号送受信モジュールセット２０全体の構成及び製造をより簡単かつ容易にし、信号受信モジュールセット２０全体の厚さをより薄くさせ、電子装置（図示せず）に適用するうえで、軽量かつ短く薄い小型化の製品に適合するため電子装置全体の厚さ及び体積を相対的に縮小させることができる。
上記説明においては、単に本発明の好適な実施例を説明したに過ぎず、これにより本発明の実施の範囲が限定されることはない。本出願の範囲において実施可能な変形や改良は、すべて本発明の権利範囲に含まれるものである。
【符号の説明】
【０００８】
１０Ａ  信号送受信モジュールセット
１Ａ  アンテナ
１１Ａ  ベース体
１２Ａ  輻射金属片
１３Ａ  接地金属片
２Ａ  金属ケース
３Ａ  回路基板
４Ａ  信号フィードイン部
１０  信号送受信モジュールセット
１  アンテナユニット
１１  ベース体
１２  輻射金属片
１３  接地金属片
１４  信号フィードイン部
２  金属ケース
２０  信号送受信モジュールセット
２１  プラットフォーム
２２  支持片
２３  接合部
２４  開口
３  回路基板
３１  フィルター
３２  増幅器
３３  受信機モジュールセット
３４  信号フィードイン点
３５  切り欠き部
３６  接地部
３７  導電部
４  導電部
５  電子装置
５１  メインボード
６  アンテナユニット
６１  ベース体
６２  輻射金属フレーム
６３  信号フィードイン部
６４  接地金属片
７  回路基板
７１  接地部
７２  信号フィードイン点
７３  導電部
【図１】
2013031142.tif 000003
【図２】
2013031142.tif 000004
【図３】
2013031142.tif 000005
【図４】
2013031142.tif 000006
【図５Ａ】
2013031142.tif 000007
【図５Ｂ】
2013031142.tif 000008
【図６】
2013031142.tif 000009
【図７】
2013031142.tif 000010
【図８】
2013031142.tif 000011